(57)【要約】【課題】利便性が高くかつ外観も良好な表示装置の提供。【解決手段】筒状体とされた第一表示装置１の開口内側に第二表示装置２を着脱可能に設けた。第一表示装置１の内周側スペースが有効に活用されるので、時計全体のサイズが大型化しない。また、第一表示装置１から第二表示装置２を取り外して、第二表示装置２に設けられたりゅうず２６を容易に操作できる。このように第一、第二表示装置１，２が互いに独立した構成により、第二表示装置２等に既存のムーブメントを使用することも可能となり、製品の開発期間を大幅に短縮でき、かつ製造コストを削減できる。  また、第一表示装置１と第二表示装置２とを二体構造として独立させたうえで、これらを着脱可能に構成したことにより、りゅうず２６等の外部操作部材が第一、第二表示装置１，２を合体させた状態において外部に露出しない構成とでき、すっきりした外観を実現できる。【選択図】図４
2008090154.tif 000002
【特許請求の範囲】
【請求項１】
外周部に沿って外周表示部を有する筒状体を備え、
前記筒状体の開口内側に、筒状部を有するケースが着脱可能に設けられる
ことを特徴とする表示装置。
【請求項２】
請求項１に記載の表示装置において、
前記外周表示部を有する筒状体としての第一表示装置と、
前記ケースを有して構成される第二表示装置とを備え、
前記第二表示装置は、前記第一表示装置の開口部に略平面状に設けられる平面表示部を有する
ことを特徴とする表示装置。
【請求項３】
請求項１または２に記載の表示装置において、
前記外周表示部は、電気泳動表示ディスプレイとされている
ことを特徴とする表示装置。
【請求項４】
請求項１から３のいずれかに記載の表示装置において、
前記外周表示部は、前記第一表示装置の周方向略全体に亘って設けられている
ことを特徴とする表示装置。
【請求項５】
請求項１から４のいずれかに記載の表示装置において、
前記筒状体および前記ケースは、それぞれの内周部および外周部が対向する間に、互いに係合する係合部をそれぞれ有する
ことを特徴とする表示装置。
【請求項６】
請求項２から５のいずれかに記載の表示装置において、
前記第一、第二表示装置の少なくとも一方は、計時部を備える時計とされ、
前記外周表示部および前記平面表示部の少なくとも一方には、前記計時部による計時情報が表示される
ことを特徴とする表示装置。
【請求項７】
請求項１から６のいずれかに記載の表示装置において、
前記筒状体および前記ケースの一方には、バンドが取り付けられる取付部が設けられ、
前記取付部に取り付けられたバンドにより、装着される
ことを特徴とする表示装置。
【請求項８】
請求項２から７のいずれかに記載の表示装置において、
前記第二表示装置は、前記ケースに収容されるアナログ表示時計体を備え、
前記アナログ表示時計体は、前記平面表示部としての指針を有する
ことを特徴とする表示装置。
【請求項９】
請求項８に記載の表示装置において、
前記アナログ表示時計体は、前記指針の指示位置を変更する外部操作部材を前記第一表示装置の内周に対向する位置に有する
ことを特徴とする表示装置。
【発明の詳細な説明】
【技術分野】
【０００１】
本発明は、環状の表示装置に関する。
【背景技術】
【０００２】
従来、時刻や暦、文字情報、画像情報、地図情報、温度湿度、水深などの各種情報をアナログ式、ディジタル式で表示する表示装置、例えば時計、ダイビングコンピュータ、計測器、携帯電話、ＰＤＡ（Personal Digital Assistants）などの各種の表示装置が知られており、これらの表示装置における表示部は、表示部の駆動装置や制御回路基板や電池などの機器本体を収容する筐体（ケース）の一部に平面的に設けられることが多い。つまり、表示部は、時計の文字板であったり、計器の目盛板であったり、液晶パネル等の表示体であったりする。
ここで、特殊な態様の表示部を有する表示装置としては、円筒形のケースの外周面に世界地図が印刷などで表示され、ケース開口近傍の外周部に２４時間の目盛が付いた回転板が設けられ、ケース開口の内側には文字板、指針、および時計機構部が設けられた世界時計と称するものが提案されていた（特許文献１）。
【０００３】
【特許文献１】特開平８−２７８３７５号公報
【発明の開示】
【発明が解決しようとする課題】
【０００４】
上述のように、従来の表示装置に設けられた表示部は、一方向から視認される平面的な構成であり、画一的な傾向にあった。なお、特許文献１の表示装置における表示部は、形式的には、指針および文字板と、ケース外周の世界地図との２つであるが、世界地図は印刷などで描かれた絵に過ぎず、情報を動的に表示するのは指針および文字板だけであるから、実質、表示部は１つと言ってよい。
ところで、近年、可撓性を有する電気泳動表示ディスプレイが実用化されており、このような曲がる表示パネルを用いて従来には無い構成の表示装置を提供したい。
ここで、例えば液晶パネル等を備える表示装置では大画面化が促進され、また、アナログ表示式時計などでは、通常の文字板に加えて複数の小ダイアルや扇状表示部などを設けて表示部の複雑化が試みられているが、これらとは異なるアプローチで、表示部の視認性も考慮して表示装置全体の利便性の向上や外観性向上を図りたい。
【０００５】
本発明の目的は、従来には無い構成の利便性が高くかつ外観も良好な表示装置を提供することにある。
【課題を解決するための手段】
【０００６】
本発明の表示装置は、外周部に沿って外周表示部を有する筒状体を備え、前記筒状体の開口内側に、筒状部を有するケースが着脱可能に設けられることを特徴とする。
【０００７】
この発明によれば、筒状体の外周部に沿った曲面状の表示部を実現できるとともに、この筒状体の内周側に形成される空間に配置されるケースに、各種機器を組み込んだり、このケース自体を例えば小物等の収納部とすることなどが可能となる。すなわち、筒状体の内部には機器等を納まりよく組み込むことができ、このように筒状体をいわば内周側ケースのケースとして筒状体の内周側スペースを有効に活用することで、表示装置全体のサイズが大型化しない。そのうえ、外周表示部による表示機能だけではなく、ケースに組み込まれる機器などの機能をも併せ持つ利便性の高い表示装置を実現できる。
なお、必要に応じて筒状体とケースとを一緒に携帯したり、別々に携帯することもでき、この点でも利便性を高くすることができる。
【０００８】
また、外周側の筒状体に対して内周側のケースが着脱可能とされ、外周表示部を備える筒状体（表示装置）と、内周側のケースに装備される機器等とは、離れた状態でもそれぞれの機能を満足するように構成されている。つまり、筒状体と、筒状体の内周側に装備する機器等とにそれぞれ、既存の製品本体を利用することができ、本発明の表示装置だけのために新たに設計し直す必要がないので、製品の開発期間を大幅に短縮でき、かつ製造コストを格段に削減できる。
【０００９】
ここで、筒状体と内周側の機器等とがそれぞれの機能を満足するように独立して構成される場合は、筒状体と、内周側のケースとにそれぞれ、外部操作用のボタン等が設けられるが、筒状体と内周側ケースとは、着脱可能とされているため、筒状体とされた表示装置、およびケースに装備される機器等の操作を容易にできる。すなわち、ケースの外周部などに操作ボタン等が設けられ、かつケースが筒状体に着けられた状態では、操作ボタン等を操作できない若しくは操作が困難となることが想定されるが、筒状体からケースを取り外すことにより、ケースの外周部等に配置された操作ボタン等を容易に操作できる。
そのうえ、筒状体にケースが着けられた状態では、筒状体にケースの外周部が覆われ、このケースの外周部と筒状体の内周部との間に設けられた機器等の操作ボタンなどが外部に露出しないことから、表示装置をすっきりした外観にできるとともに、操作ボタン等への塵埃付着を防止できる。
つまり、殆どの機器に設けられる操作ボタン等の外部操作部材が外観に表れない、新しいデザインの表示装置を提供できる。
【００１０】
なお、筒状体にケースが着けられた状態では、筒状体の内周部が外部に露出しないので、筒状体の内周部の仕上げを簡易化することも可能となる。
また、筒状体、内周側ケースそれぞれが独立とされることで、防水性等の品質保証が容易となる。
【００１１】
そして、筒状体の外周表示部は従来の平面的な表示部と比べて様々な表現が可能となり、デザイン・バリエーションの拡大が可能となることに加えて、外周側の筒状体と内周側のケースとを組み合わせることによって、外観デザインの自由度が大幅に向上する。これにより、外観意匠に優れた表示装置を提供できる。
なお、内周側に設ける機器のケースの形状寸法に応じて外周側の筒状体を製造することが可能であって、内周側に設ける機器１種類に対して、外周側筒状体を複数製造することが可能となる。また、これと逆に、外周側に設ける筒状体１種類に対して、内周側の機器等を複数製造することが可能となる。これにより、製品のモデル展開を促進できる。
以上により、従来には無い構成の利便性が高く外観性も良好な表示装置を実現できる。
【００１２】
本発明の表示装置では、前記外周表示部を有する筒状体としての第一表示装置と、前記ケースを有して構成される第二表示装置とを備え、前記第二表示装置は、前記第一表示装置の開口部に略平面状に設けられる平面表示部を有することが好ましい。
【００１３】
この発明によれば、曲面状の外周表示部と平面表示部とを具備する従来に無い構成の表示装置を実現できる。例えば、平面表示部に表示された情報に関連する情報を外周側面部に表示するなど、外周表示部と平面表示部とを使い分けることで、単に２つの平面状表示部を配置しただけの構成からは得られない良好な視認性を獲得できる。つまり、平面状の各表示部だけでは、それらに表示されている情報の判別がつきにくいが、本発明では、表示部の一方が曲面状、他方が平面状とされ、このように各表示部の形状が顕著に異なるので、そこに表示された情報の判別を容易にでき、見やすい表示装置とすることができる。
【００１４】
本発明の表示装置では、前記外周表示部は、電気泳動表示ディスプレイとされていることが好ましい。
【００１５】
この発明によれば、電気泳動表示ディスプレイはフレキシブル基板の使用により可撓性を持たせることが容易であるため、筒状体の外周曲面に沿って設ける表示体として好適な構成となる。このような電気泳動ディスプレイの曲がるという特徴を生かして、電気泳動ディスプレイを外周表示部に使用することで、電気泳動表示ディスプレイと、電気泳動ディスプレイ以外の表示装置とを組み合わせたハイブリッド表示装置を実現できる。
【００１６】
本発明の表示装置では、前記外周表示部は、前記第一表示装置の周方向略全体に亘って設けられていることが好ましい。
【００１７】
この発明によれば、筒状体外周に沿った大画面の外周表示部を実現でき、この広い外周表示部において様々な情報を表示することが可能となる。
また、外周表示部における複数箇所に同じ情報を表示することもでき、この場合、複数の方向からその情報を視認可能となる。
【００１８】
本発明の表示装置では、前記筒状体および前記ケースは、それぞれの内周部および外周部が対向する間に、互いに係合する係合部をそれぞれ有することが好ましい。
【００１９】
この発明によれば、筒状体とケースとを、互いの係合部の係合を外して容易に分離できるので、これら筒状体の外周表示部やケースに組み込まれた機器等を容易に操作できる。
また、筒状体の内周部とケースの外周部との間に、係合部が外部に露出しないように設けられるので、表示装置の外観性を良好にできる。
【００２０】
本発明の表示装置では、前記第一、第二表示装置の少なくとも一方は、計時部を備える時計とされ、前記外周表示部および前記平面表示部の少なくとも一方には、前記計時部による計時情報が表示されることが好ましい。
【００２１】
この発明によれば、第一、第二表示装置を備え、視認性および利便性に優れるので、日に何度も参照される時計、特に携帯される腕時計や懐中時計などの構成として好適にできる。すなわち、表示装置の中でも特に時計として構成することにより、前述した効果をより大きくできる。
【００２２】
本発明の表示装置では、前記筒状体および前記ケースの一方には、バンドが取り付けられる取付部が設けられ、前記取付部に取り付けられたバンドにより、装着されることが好ましい。
【００２３】
この発明によれば、筒状の表示装置をバンドで腕時計本体のように納まりよく装着することができるとともに、従来の腕時計や携帯用機器の表示部とは異なり、外周側面部に表示部が配置された斬新な外観デザインの時計を提供できる。また、従来とは異なり、腕等に装着された状態において側面側に位置する外周表示部をそのまま視認可能となり、腕を持ち上げなくても表示情報を視認できるので、利便性を高くできる。
【００２４】
本発明の表示装置では、前記第二表示装置は、前記ケースに収容されるアナログ表示時計体を備え、前記アナログ表示時計体は、前記平面表示部としての指針を有することが好ましい。
【００２５】
この発明によれば、例えば電気泳動表示ディスプレイや、液晶パネル（ＬＣＤ；Liquid Crystal Display）、有機ＥＬ（electro-luminescence）などの採用によりディジタル式で表示される外周表示部に対して、表示形式が異なるアナログ表示時計体を組み合わせることによって、種類の異なる２つの表示装置が合体したハイブリッド表示装置を提供できる。
このように２種類の表示装置を組み合わせて１つの製品とするのは、構造が複雑となりコストアップに繋がりやすいが、本発明では、外周側の筒状体と、内周側のケースとの二体構成としたので、ハイブリッド表示装置の製造の容易化とコストダウンとを図ることができる。すなわち、既存のアナログムーブメント（アナログ表示時計体）を活用したハイブリッド表示装置を実現できるため、開発期間と費用の大幅な削減が可能となる。
また、第一表示装置と第二表示装置とを二体構造として独立させたうえで、これらを着脱可能に構成したことにより、前述のように、アナログ表示時計体に設けられるりゅうず、ボタン等の外部操作部材が第一、第二表示装置を合体させた状態において表示装置の外部に露出しない構成とでき、りゅうずレス、ボタンレス風のすっきりした外観を実現できる。
【００２６】
本発明の表示装置では、前記アナログ表示時計体は、前記指針の指示位置を変更する外部操作部材を前記第一表示装置の内周に対向する位置に有することが好ましい。
【００２７】
この発明によれば、アナログ表示時計体で通常設けられるりゅうず、操作ボタンなどの外部操作部材を外部から隠すことができるので、前述のように、すっきりした外観の表示装置を提供できる。すなわち、外部操作部材の存在にデザインが制約されることなく、外観意匠性を高めることができる。
【発明の効果】
【００２８】
本発明によれば、従来には無い構成の利便性が高くかつ外観も良好な表示装置を提供することができる。
【発明を実施するための最良の形態】
【００２９】
以下、本発明の実施形態について図面を参照して説明する。以下の各実施形態では、表示装置としての時計を示す。なお、第二実施形態以降の説明に関し、第一実施形態と同様の構成については、同一符号を付して、説明を省略もしくは簡略化する。
【００３０】
〔第一実施形態〕
図１は、第一実施形態の時計の外観斜視図であり、図２は、時計の側断面図である。
本実施形態の時計は、外周表示部としてのディジタル表示部１０を有する第一表示装置１と、平面表示部としてのアナログ表示部２０を有する第二表示装置２と、を備えるハイブリッド時計として構成され、バンド３で腕等に装着される。
【００３１】
第一表示装置１の全体形状は筒状体であり、第一表示装置１は、ディジタル表示部１０と、ディジタル表示部１０が組み込まれるケース１１とを備えている。
ケース１１は、図２に示すように、略円筒状の胴１１０と、胴１１０の周方向に沿った上端部に設けられるリング状の蓋部材１１８と、胴１１０の外周部に設けられるカバーガラス１１９とを有する。
【００３２】
胴１１０は、ディジタル表示部１０が配設される配設部１１１を有して断面略コ字状に形成され、胴１１０の下端部１１０Ａは上端部１１０Ｂよりも外周側に延びている。また、胴１１０の下端部１１０Ａ外周側には、６時方向および１２時方向にバンド３の取付部としてのカン１１２が突設されている。このカン１１２とバンド３との連結には、ばね棒１１２Ａが用いられる。
この胴１１０の上端部内周は縮径しており、これによって段差部１１３が形成されている。また、胴１１０の下端部１１０Ａ内周側には、第二表示装置２との係合部とされる断面円弧状の凹部１１４が胴１１０の周方向の数箇所に形成されている。
さらに、胴１１０の下端部１１０Ａの周方向の一部には、押しボタン１１５が配設されるボタン配設部１１６が貫通形成され、押しボタン１１５の操作により、第一表示装置１の画面表示モード切替などを行うことが可能となっている。
押しボタン１１５は、ボタン配設部１１６に挿入される軸部１１５Ａを有し、軸部１１５Ａの周りに設けられたコイルばね若しくはパッキン１１５Ｂにより、図２中、上方から下方に向かって付勢されている。押しボタン１１５を押圧する際には、コイルばねやパッキンなどの付勢部材１１５Ｂの付勢力に抗して、図２中、下方から上方に向かって押圧する。
【００３３】
蓋部材１１８は、胴１１０の上端部１１０Ｂの複数箇所にそれぞれねじ１１８Ａで固定され、胴１１０の外周側に突出している。なお、蓋部材１１８と胴１１０の上端部１１０Ｂとの間には、パッキンＰ１が介装されている。
カバーガラス１１９は、円筒状に形成され、蓋部材１１８と胴１１０下端部１１０Ａとの間に挟持されている。なお、カバーガラス１１９と蓋部材１１８および胴１１０下端部１１０Ａとの間にはパッキンＰ２がそれぞれ介装されている。
【００３４】
ここで、第一表示装置１を組み立てる際は、胴１１０にディジタル表示部１０を組み付けたのち、カバーガラス１１９を胴１１０の外周部に設けて下端部１１０Ａに支持させ、蓋部材１１８を胴１１０の上端部１１０Ｂにねじ止めする。
【００３５】
本実施形態のディジタル表示部１０は、電気泳動表示ディスプレイとされ、詳しい図示を省略するが、２枚のフレキシブル基板の間に電気泳動層を有し耐湿シートで密封された表示パネル１００と、表示パネル１００を駆動するドライバや計時部が実装された制御回路基板１０５とがモジュール化されたものである。
表示パネル１００は帯状に形成されて胴１１０の外周部に略全周に亘って設けられ、略３６０°の円筒曲面状の表示領域を有する。この表示パネル１００の表示領域には、時計のモードに応じて日付、曜日、時刻、文字情報などの各種情報が表示される。
【００３６】
図３は、表示パネル１００における電気泳動層１００Ａを示す模式図である。
電気泳動層１００Ａは、多数のマイクロカプセルＭＣが密集して配置されることによって形成され、各マイクロカプセルＭＣには、多数の帯電粒子が分散した電気泳動粒子分散液がそれぞれ封入されている。この電気泳動粒子分散液では、黒色の電気泳動粒子（以下、黒粒子という）１０１と、白色の電気泳動粒子（以下、白粒子という）１０２とが分散され、本実施形態では二色の粉体流体方式の電気泳動層が構成されている。これら黒粒子１０１および白粒子１０２は、互いに異なる極性に帯電しており、本実施形態では、黒粒子１０１がプラス（正）に帯電し、白粒子１０２がマイナス（負）に帯電している。
【００３７】
すなわち、表示パネル１００のディスプレイ基板に形成されたセグメント電極１０３がローレベル電位（Ｌ電位）であり、表示パネル１００の透明基板に形成された共通電極１０４がハイレベル電位（Ｈ電位）の場合、その電位差によって共通電極１０４からセグメント電極１０３に向かう電界が発生し、正に帯電した黒粒子１０１がセグメント電極１０３側に移動するとともに、負に帯電した白粒子１０２が共通電極１０４側に移動する。
【００３８】
この白色表示の場合とは逆に、セグメント電極１０３をハイレベル電位（Ｈ電位）とし、共通電極１０４をローレベル電位（Ｌ電位）に切り替えた場合、電界の向きが逆転し、表示パネル１００における表示は黒色となる。図１の例では、「７／１７  ２００６」（月／日  年）の各文字を構成するセグメントがそれぞれ、黒色で表示されている。
【００３９】
また、黒粒子１０１、白粒子１０２の移動量を電圧の印加時間や印加電圧などに応じて調整することにより、黒と白との間の色階調の中間色表示も可能となっている。
なお、電界印加が停止されると、黒粒子１０１、白粒子１０２の移動も止まり、そのままの表示色が保持される。
【００４０】
制御回路基板１０５（図２）には、図示を省略するが、時計全体を制御する制御用コントローラと、表示パネル１００のドライバＩＣと、計時部を構成する水晶発振回路素子と、押しボタン１１５への加圧を検知する入力検知回路部などが実装されている。なお、図示を省略したが、押しボタン１１５と対向する制御回路基板１０５の側面には板ばねが設けられ、押しボタン１１５への加圧により、板ばねの先端部が制御回路基板１０５側面の接点に導通した際に、押しボタン１１５のオン状態が検知されるようになっている。
なお、この制御回路基板１０５には、図示しない電源部が連設されており、この電源部に設けられた電池から制御回路基板１０５に電力が供給されている。
【００４１】
図１および図２に戻り、第二表示装置２について説明する。
第二表示装置２は、筒状体とされた第一表示装置１の開口内側に設けられており、アナログムーブメント２Ａ（アナログ表示時計体）と、このアナログムーブメント２Ａが組み込まれるケース２１とを備えている。
アナログムーブメント２Ａには、時針２２１、分針２２２、秒針２２３、および文字板２２４による略平面状のアナログ表示部２０と、外部操作部材としての巻真２５およびりゅうず２６とが設けられている。
【００４２】
本実施形態のムーブメント２Ａには、既成の電子時計（クォーツ）のムーブメントが使用されており、ムーブメント２Ａ内部には、水晶振動子が組み込まれ計時部を構成する回路基板と、コイル、ステータ、ロータを有するステッピングモータと、駆動輪列と、動力源である電池とを備えて一般的なアナログクォーツムーブメントと同様に構成されている。
なお、このようなムーブメント２Ａのほかに、機械時計や、機械式電子時計のムーブメントも採用できる。
【００４３】
ケース２１は、円筒状の筒状部としての胴２１０と、胴２１０の下端側の開口に設けられる裏蓋２１８と、胴２１０の上端側の開口に設けられるカバーガラス２１９とを有する。
なお、裏蓋２１８と胴２１０下端部との間にはパッキンＰ３が設けられ、カバーガラス２１９と胴２１０上端部との間にはパッキンＰ４が設けられている。
【００４４】
胴２１０の上端部外周側は、縮径しており、これによって、段差部２１２が形成されている。また、胴２１０の３時方向には、ムーブメント２Ａの巻真２５が挿通される貫通孔２１３と、巻真２５に設けられたりゅうず２６が納まる凹部２１４とがそれぞれ形成されている。りゅうず２６は、第一表示装置１のケース１１の内周面に対向している。また、りゅうず２６が胴２１０を貫通する部分にはパッキン２６１が設けられ、これによってムーブメント２Ａ内は水密とされている。
【００４５】
胴２１０の外周部において、周方向の複数箇所には、第一表示装置１との係合部としてのクリックボール２１５がそれぞれ設けられている。
クリックボール２１５は、ケース２１に形成した穴２１７に設けたパイプ２１５Ａと、このパイプ２１５Ａ内に設けたボール２１５Ｂと、パイプ２１５Ａ内でボール２１５Ｂをパイプ２１５Ａ外側に向かって付勢するコイルばね２１５Ｃとを有する。このクリックボール２１５のボール２１５Ｂは、パイプ２１５Ａ外側に露出した状態で、縮径したパイプ２１５Ａ先端に係止され、第一表示装置１の凹部１１４に係合する。
これらの凹部１１４およびクリックボール２１５により、第一表示装置１と第二表示装置２とが連結されている。
【００４６】
以上説明した第二表示装置２は、第一表示装置１の開口内側に着脱可能に設けられている。
図４は、この第二表示装置２を第一表示装置１に対して押し下げて、第一、第二表示装置１，２の係合を外した状態を示す。このように、第一、第二表示装置１，２は互いに分離可能であり、独立した状態でそれぞれの機能を満足する。
つまり、第一、第二表示装置１，２を互いに離した状態でも、第一表示装置１に設けられた制御回路基板１０５によってディジタル表示部１０には暦などの情報が表示され、第二表示装置２に設けられたムーブメント２Ａ内の回路基板および駆動輪列によってアナログ表示部２０には時刻情報が表示される。
【００４７】
また、第一、第二表示装置１，２を互いに離した状態において、第一表示装置１のディジタル表示部１０の画面表示モードの切換えや、日付、時刻の修正等は、押しボタン１１５の操作により行うことができる。そして、第二表示装置２の時針２２１、分針２２２、秒針２２３の指示位置を変更する時刻修正等は、りゅうず２６により巻真２５を引き出し回転させることにより、行うことができる。
なお、第二表示装置２を第一表示装置１から取り外すことにより、第一表示装置１のボタン配設部１１６の内周側開口から、押しボタン１１５を操作することが可能となる。
また、第二表示装置２のりゅうず２６は、第一表示装置１の開口内側に第二表示装置２が係合された状態では外部に露出せず、操作できないが、第一表示装置１と第二表示装置２との係合を外すことにより、通常のアナログ時計と同様にこのりゅうず２６を操作することが可能となる。
【００４８】
第一表示装置１に第二表示装置２を取り付ける際には、第一表示装置１の下方から、第一表示装置の開口内側に第二表示装置２を挿入する。この際、第一表示装置１内周の段差部１１３に第二表示装置２の段差部２１２が係止され、第一表示装置１に対する第二表示装置２の周方向位置を調整することにより、第二表示装置２外周のクリックボール２１５が第一表示装置１内周の凹部１１４に係合し、第一、第二表示装置１，２は互いに連結される。
【００４９】
本実施形態によれば、次のような効果を得ることができる。
（１）筒状体とされた第一表示装置１の開口内側に第二表示装置２が設けられた本実施形態のハイブリッド時計では、第一表示装置１の内周側スペースが有効に活用されるので、時計全体のサイズが大型化しない。
また、第一表示装置１に対して第二表示装置２が着脱可能とされるので、りゅうず２６の操作等に不便が無く、第一表示装置と第二表示装置２とを、離れた状態でもそれぞれの機能を満足するように使用できる。
このように第一、第二表示装置１，２が互いに独立した構成により、本実施形態のように第二表示装置２に既存のアナログムーブメント２Ａを使用することができるので、製品の開発期間を大幅に短縮でき、かつ製造コストを格段に削減できる。
【００５０】
（２）第一表示装置１と第二表示装置２とを二体構造として独立させたうえで、これらを着脱可能に構成したことにより、りゅうず２６等の外部操作部材が第一、第二表示装置１，２を合体させた状態において外部に露出しない構成とでき、すっきりした外観を実現できる。また、これらりゅうず２６等への塵埃付着を防止できる。
【００５１】
（３）第一表示装置１、第二表示装置２それぞれが独立とされることで、防水性等の品質保証が容易となる。
【００５２】
（４）さらに、曲面状のディジタル表示部１０と、平面状のアナログ表示部２０とを有することにより、従来に無い構成の時計を実現できる。そして、これらのディジタル表示部１０とアナログ表示部２０とは互いに形態が異なるため、これらに表示された情報の判別を容易にでき、見やすい時計とすることができる。
【００５３】
（５）第一表示装置１および第二表示装置２は互いに係合する凹部１１４およびクリックボール２１５を有し、これらの第一表示装置１と第二表示装置２とを容易に分離できるので、これらの第一表示装置１および第二表示装置２を容易に操作できる。
また、第一表示装置１の内周部と第二表示装置２の外周部との間に、凹部１１４およびクリックボール２１５が外部に露出しないように設けられるので、時計外観を良好にできる。
【００５４】
（６）本実施形態の時計は、第一表示装置１のカン１１２に取り付けられたバンド３によって装着されるため、従来の腕時計や携帯用機器の表示部とは異なり、外周側面部に表示部（ディジタル表示部１０）が配置された斬新な外観デザインの時計を提供できる。
【００５５】
（７）ディジタル表示部１０を有する第一表示装置１に対して、表示形式が異なるアナログ表示部２０を有する第二表示装置２を組み合わせることによって、種類の異なる２つの表示装置が合体したハイブリッド時計を提供できる。
前述のように、第一、第二表示装置１，２を独立した構成としたので、構造が複雑化することなく、製造が容易で低コストのハイブリッド時計を提供できる。
【００５６】
（８）第一、第二表示装置１，２の二体構造により、アナログ時計に通常設けられるりゅうず２６などを外部から隠すことができるので、前述のように、すっきりした外観の時計を提供できる。すなわち、りゅうず２６等の外部操作部材の存在にデザインが制約されることなく、時計の外観意匠性を高めることができる。
【００５７】
〔第二実施形態〕
次に、本発明の第二実施形態について図５および図６を参照して説明する。
図５は、本実施形態の時計の分解斜視図であり、図６は、側断面図である。本実施形態の時計は、筒状体とされる第一表示装置４と、その開口内側に設けられる第二表示装置５とを備える。前記実施形態では、第一表示装置１にバンド３が設けられていたが、本実施形態では、第二表示装置５にバンド３が設けられている。この点を除いて、本実施形態の第一、第二表示装置４，５の基本的な構造は、前記実施形態の第一、第二表示装置１，２と略同様である。
【００５８】
第一表示装置４のケース４１における胴４１０には、前記実施形態のようなカンは設けられていない。
一方、第二表示装置５におけるケース５１の胴５１０の下端部には、フランジ５１１が突設され、このフランジ５１１にバンド３が取り付けられるカン５１２が突設されている。
すなわち、本実施形態では、バンド３で腕等に装着された第二表示装置５の上方に第一表示装置１を取り外すことが可能であり、第一、第二表示装置４，５の係合部である凹部４１４およびクリックボール５１５は、上端部側に設けられている（図６）。
なお、図６のように第一表示装置４と第二表示装置５とが合体した状態では、第一表示装置４の押しボタン１１５も、第二表示装置５のりゅうず２６も操作することができないが、図５のように、第一表示装置４を第二表示装置５の上方に押し上げることにより、これら押しボタン１１５およびりゅうず２６の両方を操作可能となる。
【００５９】
本実施形態によれば、次のような効果を得ることができる。
（９）バンド３で装着された一方の表示装置（第二表示装置５）に対して他方の表示装置（第一表示装置４）を上方側から着脱可能とされているので、装着したままで、第一表示装置４の着脱が行え、利便性を向上させることができる。
【００６０】
（１０）第一表示装置４に設けられた押しボタン１１５が第二表示装置５のフランジ５１１に覆われるので、時計外観をさらに良好にできるとともに、押しボタン１１５への塵埃付着を防止できる。
【００６１】
〔本発明の変形例〕
以上の実施形態において、本発明を具体的に説明したが、本発明は、本発明の要旨を逸脱しない範囲で種々の変形、改良が可能である。
【００６２】
前記各実施形態では、第一、第二表示装置のいずれかに設けられたカンに装着用のバンドを設けていたが、時計バンドの構成はこれに限らない。例えば、図７のバンド６のように、各表示装置１，２の本体をバンド６に形成された孔に設けるとともに、第一表示装置または第二表示装置の胴と裏蓋との間にバンドの孔周縁を挟持して、バンド６に第一表示装置１、あるいは第二表示装置２が植設された構成にもできる。
【００６３】
また、本発明は、前述した時計に限らず、ダイビングコンピュータ、計測器、携帯電話、ＰＤＡ（Personal Digital Assistants）などの各種の表示装置に適用できる。
【００６４】
本発明を実施するための最良の構成、方法などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００６５】
【図１】本発明の第一実施形態であるハイブリッド時計の外観斜視図。
【図２】前記時計の側断面図。
【図３】表示パネルの電気泳動層を示す模式図。
【図４】前記時計の分解斜視図。
【図５】本発明の第二実施形態であるハイブリッド時計の分解斜視図。
【図６】前記時計の側断面図。
【図７】本発明の変形例であるハイブリッド時計の外観斜視図。
【符号の説明】
【００６６】
１，４・・・第一表示装置（筒状体）、２，５・・・第二表示装置、２Ａ・・・アナログムーブメント（アナログ表示時計体）、３，６・・・バンド、１０・・・ディジタル表示部（外周表示部）、１１，４１・・・ケース、２０・・・アナログ表示部（平面表示部）、２１，５１・・・ケース（第二表示装置のケース）、２６・・・りゅうず（外部操作部材）、１００・・・表示パネル、１１２，５１２・・・カン（取付部）、１１４，４１４・・・凹部（係合部）、１１５・・・押しボタン、２１０，５１０・・・胴（筒状部）、２１５，５１５・・・クリックボール（係合部）、２２１〜２２３・・・指針。
【図１】
2008090154.tif 000003
【図２】
2008090154.tif 000004
【図３】
2008090154.tif 000005
【図４】
2008090154.tif 000006
【図５】
2008090154.tif 000007
【図６】
2008090154.tif 000008
【図７】
2008090154.tif 000009